(57)【特許請求の範囲】
【請求項１】
陽イオン交換繊維を含んでなる繊維材料から紡織してある織布と、陰イオン交換繊維を含んでなる繊維材料から紡織してある織布とを、重ね合わせ、分割自在に一体形成してあるイオン性物質除去衣料。
【請求項２】
イオン交換繊維を含んでなる繊維材料を、前記繊維材料中のイオン交換繊維のイオン交換基を、イオン交換して塩型とした状態で織物を紡織したのち、前記イオン交換基の劣化しにくい低温条件下で、塩型の前記イオン交換基を元のイオン交換基に再生するイオン性物質除去衣料の製造方法。
【発明の詳細な説明】
【０００１】
【発明の属する技術分野】
本発明はイオン性物質除去衣料に関する。
【０００２】
【従来の技術】
従来、クリーンルーム内等、作業雰囲気を清浄に保つ必要のある区域では、作業者は塵の発生しないような無塵服を着て作業を行っている。
【０００３】
【発明が解決しようとする課題】
ところで、近年、半導体製造等の分野の精密機器を取り扱うような環境下では、雰囲気中に塵の発生が無いことに加え、揮散するイオン性物質についても除去しておくべきであるとの必要性が指摘されはじめている。しかし、従来の無塵衣には上述のようなイオン性物質を除去する機能はなく、イオン性物質を除去する技術が望まれていた。
【０００４】
そこで、本発明の目的は、作業雰囲気中に揮散、あるいは飛散するイオン成分を簡便かつ確実に除去可能な技術を提供することにある。
【０００５】
【課題を解決するための手段】
本発明は、衣料をイオン交換繊維で形成し、イオン性物質除去を含有してなる従来にない衣料を提供することにより、作業時にその衣料を身につけることで、作業者の発汗等に基づくイオンの揮散を防止出来るのではないかと本発明者らが考え至り、成されたものである。
【０００９】
〔構成〕
また、イオン性物質除去衣料を、陽イオン交換繊維を含んでなる繊維材料から紡織してある、織布と、陰イオン交換繊維を含んでなる繊維材料から紡織してある、織布とを、重ね合わせ、分割自在に一体形成してあることを特徴としてあってもよ良い。
〔作用・効果〕
つまり、上述のイオン性物質除去衣料を人体に着用させると、人体は陽イオン交換繊維を含んでなる織布と、陰イオン交換繊維を含んでなる織布との両織布におおわれていることになるから、人体から発生したイオン性物質は陽、陰イオンとも雰囲気中に放出されるまでに吸着除去され易くなり、イオン性物質の放出をより確実に防止し易い。また、前記両織布は分割自在に一体形成してあることから、前記イオン性物質除去衣料の使用後には前記両織布を分割して、各別に再生させることにより、再利用可能になり、前記イオン性物質除去衣料の長期利用等に役立つ。
【００１０】
〔構成〕
また、前記目的を達成する本発明イオン性物質除去衣料の製造方法の特徴構成は、イオン交換繊維を含んでなる繊維材料を、前記繊維材料中のイオン交換繊維のイオン交換基を、イオン交換して塩型とした状態で織物を紡織したのち、前記イオン交換基の劣化しにくい低温条件下で、塩型の前記イオン交換基を元のイオン交換基に再生することにある。
【００１１】
〔作用効果〕
つまり、イオン交換繊維を含んでなるなる繊維材料をそのまま紡織に用いれば紡織の工程中で、前記イオン交換基に紡織作業雰囲気中のイオン性物質や、紡織工程で用いる糊材や油材中のイオン性物質が結合してしまって、再生困難になる虞れがあるのに対し、前記イオン交換基に結合・脱離容易なイオン性物質を結合させ、塩型として紡織するので、前記イオン交換基は再生困難になるような状況になりにくく、また、イオン交換繊維は高温に晒されるとイオン交換基が分解して劣化することが考えられているのに対し、そのイオン交換基が劣化する虞れのある温度（例えば、強酸性陽イオン交換繊維では９０℃程度）よりも低温の劣化しにくい条件下（例えば、強酸性陽イオン交換繊維に対して７０〜８０℃程度）で先の塩型のイオン交換基を元のイオン交換基に再生すれば（例えば、強酸性陽イオン交換繊維を酸に晒せば）、イオン交換性能の極めて高いイオン性物質除去衣料を形成することが出来ることになり、そのイオン性物質除去衣料を使用しはじめてから再生が必要になるまでの期間を長く設定し易い。
【００１２】
つまり、人体から揮散するイオン性物質を確実に捕捉しやすくなって、イオン性物質を揮散あるいは飛散させにくくなり、雰囲気を清浄に保ち易くなる。また、再生作業を行う頻度を少なく出来るので、再生作業を行うための化学処理等に労力を軽減出来、ランニングコストを安価に設定できる。
【００１３】
【発明の実施の形態】
以下に本発明のイオン性物質除去衣料をその製造方法とともに説明する。
＜１＞  陽イオン性物質除去衣料
縦糸として４００〜５００デニールのポリエステルより糸、横糸としてポリエステル繊維２本に対して１の割合で８デニールの塩型（イオン交換基をナトリウム塩型にしてあるもの）の強酸性陽イオン交換繊維（イオン交換当量２．０ｍｅｑ／ｇのもの）を３０本よりあわせてなる２４０デニールの糸を２〜３本寄り合わせてサイジング材（糊剤・油剤）で処理したものを用いて織布を紡織し、その織布を用いて衣料を形成した。この衣料は１２０ｍｅｑ／ｍ2 の総交換当量のイオン交換基を有するものとなった。この衣料を６０〜７０℃の温水で洗浄し、サイジング剤を除去し、さらに、２％塩酸で十分洗浄してイオン交換基を再生し、更に、純水で洗浄、乾燥してイオン性物質除去衣料とした。
【００１４】
このイオン性物質除去衣料に用いた織布を、イオン交換性能の無い通常の生地（ガーゼ）を介して作業者に密着させ、かつ、表面側をガス非透過性のフィルムで覆った状態で、その作業者が２４時間の事務作業を行ったのち、前記織布を回収して各種イオンの吸着量を調べたところ、表１のようになった。尚、前記表中ブランクとあるのは使用前の織布が元来保有していたイオン量にあたるものである。
【００１５】
【表１】
0003693397.tif 000002
【００１６】
表１より、人体から揮散あるいは飛散するアンモニア成分に由来するアンモニウムイオン等のイオン性物質は、十分に捕捉除去出来ているものと言える。また、上述の織布のイオン交換当量から、上述のイオン交換衣料は１８０日の使用につき１度の再生を行えばイオン性物質の揮散を防止しつつ繰り返し利用が可能なものとなっていることがわかる。
【００１７】
＜２＞  陰イオン性物質除去衣料
縦糸として４００〜５００デニールのポリエステルより糸、横糸としてポリエステル繊維２本に対して１本の割合で８デニールの塩型（イオン交換基を塩素塩型にしてあるもの）の強塩基性陰イオン交換繊維（イオン交換当量３．６ｍｅｑ／ｇのもの）を３０本よりあわせてなる２４０デニールの糸を２〜３本寄り合わせてサイジング剤（糊剤・油剤）で処理したものを用いて織布を紡織し、その織布を用いて衣料を形成した。この衣料は２１６ｍｅｑ／ｍ2 の総交換当量のイオン交換基を有するものとなった。この衣料を４０℃の温水で洗浄し、サイジング剤を除去し、さらに、０．５〜５ｗｔ％の水酸化ナトリウム水溶液で十分洗浄してイオン交換基を再生し、更に、純水で洗浄、乾燥してイオン性物質除去衣料とした。
【００１８】
このイオン性物質除去衣料に用いた織布を、＜１＞と同様にして各種イオンの吸着量を調べたところ、表２のようになった。
【００１９】
【表２】
0003693397.tif 000003
【００２０】
表２より、陰イオン性物質除去衣料についても、人体から揮散あるいは飛散する塩化物イオン等のイオン性物質は、十分に捕捉除去出来ているものと言える。
【００２１】
〔別実施形態〕
以下に別実施形態を説明する。
先の実施の形態ではイオン交換繊維を横糸のみに用いたが縦糸にも用いてもよく、逆に、より糸中の一部のみをイオン交換繊維としてあってもよく上述の構成に限るものではない。
さらに、イオン交換繊維のとして、強酸性陽イオン交換繊維、弱酸性陽イオン交換繊維、強塩基性陰イオン交換繊維、弱塩基性陰イオン交換繊維のいずれをもちいることも出来る。
また、衣料の形態としては、下着、上着、いずれに用いてもよく、陽イオン性物質除去衣料と、陰イオン性物質除去衣料とを重ね着して用い、人体から揮散するイオン性物質を確実に捕捉する構成で使用することが望ましい。
【００２２】
さらに、＜１＞に用いた織布及び＜２＞に用いた織布の一方を衣料の表地、他方を衣料の裏地に用いる等して、イオン性物質除去衣料を形成してあってもよい。この場合、表地と裏地を各別に再生することが出来るようになり、前記イオン性物質除去衣料が長期使用により、性能低下する等の不都合が生じたとしても再生再利用が出来るので好都合である。
【００２３】
尚、紡織の工程については、種々周知の方法を採用でき、粘剤や、油剤の種類や有無は問わないものとする。